(57)【要約】【課題】軽量化を図りつつ前輪との干渉に起因したヒンジピラーの変形量を抑制することができる車両の側部車体構造を提供する。【解決手段】アウタパネル１０ａとこのアウタパネル１０ａと協働して上下方向に延びる閉断面Ｃを構成するインナパネル１０ｂとを有するヒンジピラー１０と、閉断面Ｃ内に配設されたヒンジピラーレイン１１と、ヒンジピラー１０に上下１対のドアヒンジ８ａ，８ｂを介して開閉自在に取り付けられるフロントドアとを備えた車両Ｖの側部車体構造において、ヒンジピラーレイン１１を車幅方向外側に膨出して形成された下側ヒンジ取付部１６であって、前輪９に対して前後方向に対向するように配設された下側ヒンジ取付部１６を備え、ヒンジピラー１０における下側ヒンジ取付部１６の近傍部位が下側ヒンジ取付部１６の上側部位よりも低強度に構成された。【選択図】  図４
2016060402.tif 000002
【特許請求の範囲】
【請求項１】
アウタパネルとこのアウタパネルと協働して上下方向に延びる閉断面を構成するインナパネルとを有するヒンジピラーと、前記閉断面内に配設されたヒンジピラーレインフォースメントと、前記ヒンジピラーに上下１対のドアヒンジを介して開閉自在に取り付けられるフロントドアとを備えた車両の側部車体構造において、
前記ヒンジピラーレインフォースメントを車幅方向外側に膨出して形成された下側ヒンジ取付部であって、前輪に対して前後方向に対向するように配設された下側ヒンジ取付部を備え、
前記ヒンジピラーにおける下側ヒンジ取付部の近傍部位が下側ヒンジ取付部の上側部位よりも低強度に構成されたことを特徴とする車両の側部車体構造。
【請求項２】
前記下側ヒンジ取付部の近傍部位が、前記前輪から衝突荷重入力時、前記衝突荷重によって変形させられることを特徴とする請求項１に記載の車両の側部車体構造。
【請求項３】
前記ヒンジピラーレインフォースメントの側壁部の下端部が前記下側ヒンジ取付部の下端側近傍位置に設けられ且つヒンジピラーレインフォースメントの前壁部の車幅方向内側部分の下端部が前記下側ヒンジ取付部の下端部よりも上方位置に設けられたことを特徴とする請求項１に記載の車両の側部車体構造。
【請求項４】
前記下側ヒンジ取付部の前壁部が、前記前輪の上半部に前後方向に対向するように配設され且つ側面視にて下側程後方に移行するように傾斜状に形成されたことを特徴とする請求項１〜３の何れか１項に記載の車両の側部車体構造。
【発明の詳細な説明】
【技術分野】
【０００１】
本発明は、車両の側部車体構造に関し、特にドアヒンジをヒンジピラーレインフォースメントに取り付けるためのヒンジ取付部を備えた車両の側部車体構造に関する。
【背景技術】
【０００２】
従来より、車両の車体側部には、前後方向に延びるルーフサイドレールの前端部（フロントヘッダの側端部）と前後方向に延びるサイドシルの前端部とを上下方向に連結するヒンジピラー及びこのヒンジピラーの上端に連なるフロントピラーが設けられている。
ヒンジピラーは乗員乗降口の周縁部の前側部分を構成しているため、フロントドアを乗員乗降口に対して開閉自在に枢支するための上下１対のドアヒンジがヒンジピラーレインフォースメント（以下、ヒンジピラーレインと略す）に取り付けられている。
【０００３】
ヒンジピラーは、前輪に対して前後方向後側に対向するように配設されている。
それ故、車体前方の衝突が発生した際、衝突荷重によって前輪が後退するため、後退した前輪を介して衝撃緩和されていない衝突荷重が車体側に作用することがある。
スモールオーバーラップ衝突（以下、ＳＯＬ衝突と略す）では、衝突物とフロントサイドフレームとがオーバーラップしていないため、後退した前輪がヒンジピラーに干渉したとき、前輪から入力した衝突荷重によりヒンジピラー等の乗員周りの車室空間が変形する虞があった。特に、設計要件により、車幅増加が必要な場合、ヒンジピラーが通常よりも車幅方向外側に配設されるため、衝突時、前輪がヒンジピラーに干渉する傾向が高くなる。そこで、前輪からの衝突荷重による車室空間の変形を防止する技術が提案されている。
【０００４】
特許文献１の車両の側部車体構造は、前壁面を含むピラーアウタパネルとこのピラーアウタパネルと協働して上下方向に延びる閉断面を構成するピラーインナパネルとを有するヒンジピラーと、閉断面内に配設された傾斜面を含むヒンジピラーレインと、衝突時に前輪を車体後方外側にガイドするガイド手段とを備え、ガイド手段が、傾斜面と側壁面とがなす角度を前壁面と側壁面とがなす角度よりも小さく設定するように構成されている。これにより、ＳＯＬ衝突時、前輪を車幅方向内側から外側に向かってガイドすることができ、衝突荷重を車幅方向外側に逃すことができる。
【先行技術文献】
【特許文献】
【０００５】
【特許文献１】特開２０１３−１４１９２８号公報
【発明の概要】
【発明が解決しようとする課題】
【０００６】
特許文献１の車両の側部車体構造は、前輪をガイド手段に沿って車幅方向外側にスライドさせるため、前輪との干渉に起因したヒンジピラーの変形量を抑制することができる。
しかし、特許文献１の車両の側部車体構造では、ヒンジピラーレインと一体的に形成されたガイド手段の傾斜面に前輪を後退させる案内機能を持たせるため、傾斜面を含むヒンジピラーレイン自体に衝突荷重に耐え得る高い強度が要求され、ヒンジピラーレインの総重量が増加する虞がある。
【０００７】
本発明の目的は、軽量化を図りつつ前輪との干渉に起因したヒンジピラーの変形量を抑制することができる車両の側部車体構造等を提供することである。
【課題を解決するための手段】
【０００８】
請求項１の車両の側部車体構造は、アウタパネルとこのアウタパネルと協働して上下方向に延びる閉断面を構成するインナパネルとを有するヒンジピラーと、前記閉断面内に配設されたヒンジピラーレインフォースメントと、前記ヒンジピラーに上下１対のドアヒンジを介して開閉自在に取り付けられるフロントドアとを備えた車両の側部車体構造において、前記ヒンジピラーレインフォースメントを車幅方向外側に膨出して形成された下側ヒンジ取付部であって、前輪に対して前後方向に対向するように配設された下側ヒンジ取付部を備え、前記ヒンジピラーにおける下側ヒンジ取付部の近傍部位が下側ヒンジ取付部の上側部位よりも低強度に構成されたことを特徴としている。
【０００９】
この車両の側部車体構造では、ヒンジピラーにおける下側ヒンジ取付部の近傍部位が下側ヒンジ取付部の上側部位よりも低強度に構成されたため、下側ヒンジ取付部の近傍部位を含めてヒンジピラーレインフォースメントを衝突荷重に耐え得る高い強度に構成する必要がなく、ヒンジピラーレインフォースメントの軽量化を図ることができる。
また、下側ヒンジ取付部が前輪からの衝突荷重により変形可能であるため、前輪からの衝突荷重入力時、他の部位の変形を抑制しつつ、下側ヒンジ取付部を変形させて後退する前輪を車幅方向外側に案内することができる。
【００１０】
請求項２の発明は、請求項１の発明において、前記下側ヒンジ取付部の近傍部位が、前記前輪から衝突荷重入力時、前記衝突荷重によって変形させられることを特徴としている。
これにより、簡単な構成で後退する前輪を容易に車幅方向外側へ案内することができる。
【００１１】
請求項３の発明は、請求項１の発明において、前記ヒンジピラーレインフォースメントの側壁部の下端部が前記下側ヒンジ取付部の下端側近傍位置に設けられ且つヒンジピラーレインフォースメントの前壁部の車幅方向内側部分の下端部が前記下側ヒンジ取付部の下端部よりも上方位置に設けられたことを特徴としている。
この構成により、簡単な構成で下側ヒンジ取付部の変形を促進でき、後退する前輪を確実に車幅方向外側へ案内することができる。
【００１２】
請求項４の発明は、請求項１〜３の何れか１項の発明において、前記下側ヒンジ取付部の前壁部が、前記前輪の上半部に前後方向に対向するように配設され且つ側面視にて下側程後方に移行するように傾斜状に形成されたことを特徴としている。
これにより、前壁部が前輪の傾斜部分と大きな面積の当接部を形成して荷重伝達効率を増加できるため、簡単な構成で後退する前輪の車幅方向外側への案内を促進することができる。
【発明の効果】
【００１３】
本発明の車両の側部車体構造によれば、軽量化を図りつつ前輪との干渉に起因したヒンジピラーの変形量を抑制することができる。
【図面の簡単な説明】
【００１４】
【図１】実施例１に係る車両の左側から視た車体前部の側面図である。
【図２】図１のII−II線断面図である。
【図３】図１のIII−III線断面図である。
【図４】アウタパネルを省略した図１の要部斜視図である。
【図５】図４のヒンジピラーレインを省略した図である。
【図６】図５の下側ヒンジガセットを省略した図である。
【図７】図６のヒンジピラーレインロアを省略した図である。
【図８】上側ヒンジガセットとヒンジピラーレインと下側ヒンジガセットの正面図である。
【図９】ヒンジピラーレインの説明図であって、（ａ）は斜視図、（ｂ）は側面図、（ｃ）は正面図、（ｄ）は平面図である。
【図１０】下側ヒンジ取付部の側面図である。
【図１１】下側ヒンジ取付部が潰れ変形したときの横断面図である。
【発明を実施するための形態】
【００１５】
以下、本発明の実施形態を図面に基づいて詳細に説明する。
以下の説明は、本発明を車両に適用したものを例示したものであり、本発明、その適用物、或いは、その用途を制限するものではない。また、図中、矢印Ｆ方向を、前方とし、矢印Ｌ方向を、左方として説明する。
【実施例１】
【００１６】
以下、本発明の実施例１について図１〜図１１に基づいて説明する。
図１に示すように、車両Ｖは、車体上端部の左右両端位置を前後方向に夫々延びる左右１対の閉断面状のルーフサイドレール１と、これら１対のルーフサイドレール１の前端部を車幅方向に連結する閉断面状のフロントヘッダ２と、車体下端部の左右両端位置を前後方向に夫々延びる左右１対の閉断面状のサイドシル３と、左右１対のフロントドア（図示略）によって夫々開閉可能な左右１対のフロントドア用開口部４と、左右１対のリヤドア（図示略）によって夫々開閉可能な左右１対のリヤドア用開口部５等を備えている。
尚、左右１対の各構成部材は、何れも左右対称の構造であるため、以下、左側の構成部材について主に説明する。
【００１７】
フロントドア用開口部４は、前縁を形成するフロントピラー６及びヒンジピラー１０と、後縁を形成するセンタピラー７と、フロントピラー６の上端部とセンタピラー１０の上端部を連結するルーフサイドレール１の前端側部分と、ヒンジピラー１０の下端部とセンタピラー７の下端部を連結するサイドシル３の前端側部分とにより区画されている。
フロントピラー６は、フロントピラーアウタとフロントピラーインナとによって下側程前方に移行するように傾斜状に延びる閉断面を構成している。
【００１８】
次に、ヒンジピラー１０について詳細に説明する。
ヒンジピラー１０は、下端側部分が前輪９に対して前後方向に対向するように配設され、上下１対のドアヒンジ８ａ，８ｂを介してフロントドアを開閉自在に支持している。
ヒンジピラー１０の上端部をフロントピラー６の下端部に接合して両ピラー６，１０の閉断面を上下方向に連続させている。これにより、フロントピラー６の閉断面とルーフサイドレール１及びフロントヘッダ２の閉断面が連続され、ヒンジピラー１０の閉断面Ｃとサイドシル３の閉断面が連続されているため、フロントドア用開口部４の周囲に環状の閉断面構造が形成されている。
【００１９】
図１〜図７に示すように、フロントピラー６の下端部から略鉛直下方に延びるヒンジピラー１０は、アウタパネル１０ａと、このアウタパネル１０ａと協働して上下方向に延びる閉断面Ｃを構成するインナパネル１０ｂと、ヒンジピラー１０の下端側部分を除く部分の剛性を補強するためのヒンジピラーレインフォースメント（以下、ヒンジピラーレインと略す）１１と、ヒンジピラー１０の下端側部分の剛性を補強するためのヒンジピラーレインフォースメントロア（以下、ヒンジピラーレインロアと略す）１２と、上側ドアヒンジ８ａの支持剛性を補強するための上側ヒンジガセット１３と、下側ドアヒンジ８ｂの支持剛性を補強するための下側ヒンジガセット１４等を備えている。
【００２０】
図２に示すように、アウタパネル１０ａは、車体外壁を形成するサイドパネルアウタの前端側部分の一部で構成されている。このアウタパネル１０ａは、前輪９が直進状態のとき、左端に形成された側壁部が前輪９の車幅方向中心よりも左側且つ前輪９の左端部よりも右側に位置するように左側へ突出した断面略ハット状に形成されている。
アウタパネル１０ａには、両ドアヒンジ８ａ，８ｂに夫々対応するように側壁部の上端側部分と下端側部分とに前後１対の上側ボルト穴と前後１対の下側ボルト穴（何れも図示略）が夫々設けられている。これら上側ボルト穴と下側ボルト穴は、正面視にて同じ車幅方向位置（同一鉛直面上）に形成されている。
【００２１】
図２に示すように、インナパネル１０ｂは、前輪９が直進状態のとき、右端に形成された側壁部が前輪９の右端部よりも左側に位置するように右側へ僅かに突出した断面略ハット状に形成されている。インナパネル１０ｂの前端部と後端部とに形成された前後両フランジ部が、アウタパネル１０ａの前端部と後端部とに形成された前後両フランジ部に夫々接合されて上下に延びる閉断面Ｃが形成される。
【００２２】
次に、ヒンジピラーレイン１１について説明する。
ヒンジピラーレイン１１は、所定引張強度以上のハイテン鋼を左方に突出させた断面略ハット状にプレス成形することにより形成されている。
図２〜図４，図８〜図１０に示すように、ヒンジピラーレイン１１は、アウタパネル１０ａの上側ボルト穴の上方位置から下側ボルト穴の下方位置に亙って上下方向に延びる側壁部１１ａと、この側壁部１１ａの前端部から右方に延びる前壁部１１ｂと、側壁部１１ａの後端部から右方に延びる後壁部１１ｃと、前壁部１１ｂの右端から前方に延びる前側フランジ部１１ｄと、後壁部１１ｃの右端から後方に延びる後側フランジ部１１ｅとを備えている。
【００２３】
側壁部１１ａには、１対のボルト（図示略）を用いて上側ドアヒンジ８ａを装着するための上側ヒンジ取付部１５と、１対のボルト（図示略）を用いて下側ドアヒンジ８ｂを装着するための下側ヒンジ取付部１６とが一体的に形成されている。
上側ヒンジ取付部１５は、側壁部１１ａを左方に膨出するように形成され、アウタパネル１０ａの上側ボルト穴に対応して前後に隣接した１対のボルト穴１５ｓが設けられている。下側ヒンジ取付部１６は、側壁部１１ａを左方に膨出するように形成され、その下端部が側壁部１１ａの下端部近傍位置に形成されている。
【００２４】
ここで、下側ヒンジ取付部１６について説明する。
図１０に示すように、下側ヒンジ取付部１６は、ヒンジ取付壁部１６ａと、前後１対の縦壁部１６ｂ（前壁部），１６ｃと、上下１対の横壁部１６ｄ，１６ｅを備えている。
ヒンジ取付壁部１６ａは、アウタパネル１０ａに面当接するように構成され、アウタパネル１０ａの下側ボルト穴に対応するように前後に隣接した１対のボルト穴１６ｓが形成されている。
【００２５】
前側縦壁部１６ｂは、前輪９の上半部に前後方向後側に対向するように配設されている。
この前側縦壁部１６ｂは、ヒンジ取付壁部１６ａの前端部から右側前方に延び、側面視にて下側程後方に移行するように傾斜状に形成され且つ平面視にて左側程後方に移行するように傾斜状に形成されている。これにより、車輪９におけるスポーク９ａの上半部の周壁部が左側程後方に移行するように傾斜状に形成されているため、衝突荷重によって後退した前輪９のスポーク９ａの周壁部が前側縦壁部１６ｂに衝突する際、スポーク９ａと前壁部１５ａとがアウタパネル１０ａを介して大きな当接面積を確保することができる。
尚、アウタパネル１０ａは極めて薄く、強度面で殆ど影響を生じないため、以下、説明の便宜上、アウタパネル１０ａを介した衝突、当接、変形を、単に衝突、当接、変形として説明する。
【００２６】
後側縦壁部１６ｃは、ヒンジ取付壁部１６ａの後端部から右側後方に延び、平面視にて左側程前方に移行するように傾斜状に形成されている。
上側横壁部１６ｄは、ヒンジ取付壁部１６ａの上端部から右側上方に延びるように傾斜状に形成され、下側横壁部１６ｅは、ヒンジ取付壁部１６ａの下端部から右側下方に延びるように傾斜状に形成されている。
【００２７】
前壁部１１ｂは、左側部分の下端部が下側ヒンジ取付部１６の下端部の下側近傍位置に設けられ、右側部分の下端部が下側ヒンジ取付部１６の下端部よりも上方位置、具体的には１対のボルト穴１６ｓと略同じ高さ位置に設けられている。これにより、前方から作用する衝突荷重に対するヒンジピラーレイン１１の下端側部分の強度を低下させている。
これにより、車体前方からの衝突荷重に対して、簡単な構成で下側ヒンジ取付部１６の変形を促進することができる。
前側フランジ部１１ｄ及び後側フランジ部１１ｅは、アウタパネル１０ａとインナパネル１０ｂの各々の前後両フランジ部に溶接にて挟着されている。
【００２８】
次に、ヒンジピラーレインロア１２について説明する。
ヒンジピラーレインロア１２は、所定引張強度以上のハイテン鋼を左方に突出させた断面略ハット状にプレス成形することにより形成されている。
図２，図３，図６に示すように、ヒンジピラーレインロア１２は、下側ヒンジ取付部１６の上端近傍位置からサイドシル３の下端近傍位置に亙って上下方向に延びる側壁部１２ａと、この側壁部１２ａの前端部から右方に延びる前壁部１２ｂと、側壁部１２ａの後端部から右方に延びる後壁部１２ｃと、前壁部１２ｂの右端から前方に延びる前側フランジ部１２ｄと、後壁部１２ｃの右端から後方に延びる後側フランジ部１２ｅとを備えている。
【００２９】
側壁部１２ａは、側壁部１１ａから所定距離右方へ離隔するように配設されている。側壁部１２ａの下端側部分は、サイドシルレインフォースメント３ａに接合されている。これにより、ヒンジピラーレイン１１の下端側部分の強度を低下させている。
前壁部１２ｂ及び後壁部１２ｃの上端側部分は、前壁部１１ｂ及び後壁部１１ｃの下端側部分に夫々溶接にて接合されている。
前側フランジ部１２ｄ及び後側フランジ部１２ｅは、アウタパネル１０ａとインナパネル１０ｂの各々の前後両フランジ部に溶接にて挟着されている。
【００３０】
次に、上側ヒンジガセット１３及び下側ヒンジガセット１４について説明する。
上側ヒンジガセット１３及び下側ヒンジガセット１４は、ハイテン鋼をプレス成形することにより形成されている。
図５〜図８に示すように、上側ヒンジガセット１３は、上側ヒンジ取付部１５に対応するように配設され、ヒンジピラーレイン１１とフロントピラーレイン、ダッシュクロスメンバ（何れも図示略）及びエプロンレイン等に連結されている。
【００３１】
下側ヒンジガセット１４は、断面略コ字状に形成され、下側ヒンジ取付部１６に対応するようにヒンジピラーレイン１１とヒンジピラーレインロア１２との間に配設されている。
図２〜図５，図８に示すように、下側ヒンジガセット１４は、側壁部１４ａと、この側壁部１４ａの前端から右方に延びる前壁部１４ｂと、側壁部１４ａの後端から右方に延びる後壁部１４ｃを備えている。
側壁部１４ａは、上端側部分が下側ヒンジ取付部１６よりも上側の側壁部１１ａの裏面に接合され、下端側部分がサイドシルレインフォースメント３ａの左側側壁部に接合されている。これにより、側壁部１４ａは、上側程左方に移行するように形成されている。
前壁部１４ｂは前壁部１１ｂの下端部と前壁部１２ｂの上端側部分に挟着され、後壁部１４ｃは後壁部１１ｃの下端部と後壁部１２ｃの上端側部分に挟着されている。
【００３２】
次に、上記車両Ｖの側部車体構造の作用・効果について説明する。
例えば、スモールオーバーラップ（ＳＯＬ）衝突における初期段階では、前輪９に衝突荷重が作用してロアアーム（図示略）が後側に湾曲するため、前輪９が後退を始め、スポーク９ａの上半部の周壁部が前側縦壁部１６ｂに衝突する。
スポーク９ａの周壁部は、左側程後方に移行するように傾斜状に形成されているため、平面視にて前側縦壁部１６ｂの傾斜面に略沿うように当接する。
【００３３】
スポーク９ａの後退に伴って下側ヒンジ取付部１６が右側に潰れ変形するため、スポーク９ａと前側縦壁部１６ｂとの当接部が除々に左側後方へ移行し、スポーク９ａが後方移行に伴って左方移行しながら当接部を中心にして前輪９が反時計回りに回動を開始する。
図１１に示すように、衝突初期段階では、下側ヒンジ取付部１６の近傍部位が下側ヒンジ取付部１６の上側部位よりも低強度であるため、他の部位に比べて、下側ヒンジ取付部１６が優先的に変形して衝突荷重の吸収が行われる。
【００３４】
衝突中期段階では、リム９ｂとヒンジピラーレイン１１とが衝突してヒンジピラーレイン１１が変形を開始する。
前輪９とヒンジピラーレイン１１との当接部が除々に後方へ移行し、この後方移行した当接部を中心にして前輪９が更に反時計回りに回動する。
衝突後期段階では、前輪９が車体側から離脱し、前輪９とヒンジピラーレイン１１との当接状態が解除される。これにより、前輪９との干渉に起因したヒンジピラー１０の変形量を抑制し、前輪９を介した衝突荷重による車室空間の変形を防止している。
【００３５】
この車両Ｖの側部車体構造によれば、ヒンジピラー１０における下側ヒンジ取付部１６の近傍部位が下側ヒンジ取付部１６の上側部位よりも低強度に構成されたため、下側ヒンジ取付部１６の近傍部位を含めてヒンジピラーレイン１１を衝突荷重に耐え得る高い強度に構成する必要がなく、ヒンジピラーレイン１１の軽量化を図ることができる。
また、下側ヒンジ取付部１６が前輪９からの衝突荷重により変形可能であるため、前輪９からの衝突荷重入力時、他の部位の変形を抑制しつつ、下側ヒンジ取付部１６を変形させて後退する前輪９を車幅方向外側に案内することができる。
【００３６】
下側ヒンジ取付部１６の近傍部位が、前輪９から衝突荷重入力時、衝突荷重によって変形させられるため、簡単な構成で後退する前輪９を容易に車幅方向外側へ案内することができる。
【００３７】
ヒンジピラーレイン１１の側壁部１１ａの下端部が下側ヒンジ取付部１６の下端側近傍位置に設けられ且つヒンジピラーレイン１１の前壁部１１ｂの右側部分の下端部が下側ヒンジ取付部１６の下端部よりも上方位置に設けられたため、簡単な構成で下側ヒンジ取付部１６の変形を促進でき、後退する前輪９を確実に車幅方向外側へ案内することができる。
【００３８】
下側ヒンジ取付部１６の前側縦壁部１６ｂが、前輪９の上半部に前後方向に対向するように配設され且つ側面視にて下側程後方に移行するように傾斜状に形成されたため、前側縦壁部１６ｂが前輪９の傾斜部分と大きな面積の当接部を形成して荷重伝達効率を増加でき、簡単な構成で後退する前輪９の車幅方向外側への案内を促進することができる。
【００３９】
次に、前記実施形態を部分的に変更した変形例について説明する。
１〕前記実施形態においては、ヒンジピラーレインとヒンジピラーレインロアが別体に形成された例を説明したが、ヒンジピラーレインとヒンジピラーレインロアとを単一のヒンジピラーレインとして一体形成しても良い。
この場合、下側ヒンジ取付部を含むヒンジピラーレインをプレス加工した後、下側ヒンジ取付部及びその近傍部分に所定の熱処理を施すことで、下側ヒンジ取付部及びその近傍部分の組成を変更し、下側ヒンジ取付部及びその近傍部分の強度をその他の部分の強度よりも低下させる。
【００４０】
２〕前記実施形態においては、ヒンジピラーレインがハイテン鋼で形成された例を説明したが、少なくとも、下側ヒンジ取付部の近傍部位が下側ヒンジ取付部の上側部位よりも低強度に構成されれば良く、ヒンジピラーレインの素材は任意に選択可能である。
【００４１】
３〕その他、当業者であれば、本発明の趣旨を逸脱することなく、前記実施形態に種々の変更を付加した形態で実施可能であり、本発明はそのような変更形態も包含するものである。
【符号の説明】
【００４２】
Ｖ            車両
８ａ          上側ドアヒンジ
８ｂ          下側ドアヒンジ
９            前輪
１０          ヒンジピラー
１０ａ        アウタパネル
１０ｂ        インナパネル
１１          ヒンジピラーレイン
１１ａ        側壁部
１１ｂ        前壁部
１６          下側ヒンジ取付部
１６ｂ        前側縦壁部
Ｃ            閉断面
【図１】
2016060402.tif 000003
【図２】
2016060402.tif 000004
【図３】
2016060402.tif 000005
【図４】
2016060402.tif 000006
【図５】
2016060402.tif 000007
【図６】
2016060402.tif 000008
【図７】
2016060402.tif 000009
【図８】
2016060402.tif 000010
【図９】
2016060402.tif 000011
【図１０】
2016060402.tif 000012
【図１１】
2016060402.tif 000013